(57)【要約】      （修正有）【課題】積載物を固定するのに作業者一人で短時間に作業が完了できる固定手段の提供にある。【解決手段】荷崩れ防止用積載物固定ベルトのコの字型固定部材の開口部を積載台に固定し、該固定部材に連なるベルトを積載物の上部を渡して、ベルト長を調節できるもう一個のコの字型固定部材を積載台の反対側に固定する。次にベルトの端部を引張しコの字型固定部材の最下部で反転させベルト締め具を使って積載物と積載台と固定することで課題を解決できる。【選択図】図５
0003139684.tif 000002
【実用新案登録請求の範囲】
【請求項１】
断面がコの字型の開口部を積載台へ挿入して固定する部材二個中の一個をベルト端に固定し、他の一個はベルトの長さを調節して積載台へ固定できるようにベルトに接続した荷崩れ防止用積載物固定ベルト。
【請求項２】
前記、請求項１記載の荷崩れ防止用積載物固定ベルトで、コの字型固定部材は開口部の高さ３０ｍｍ〜７０ｍｍで上部（天井部）と下部（底部）は５０ｍｍ〜１００ｍｍ×７０ｍｍ〜１２０ｍｍで、積載台に固定する構造になっていることを特徴とする荷崩れ防止用積載物固定ベルト
【請求項３】
前記、請求項１及び２記載の荷崩れ防止用積載物固定ベルトで、コの字型固定部材の上部（天井部）にネジ穴を有し、該ネジ穴にボルトを通じ締め力を調節して積載台に固定する構造になっている事を特徴とする荷崩れ防止用積載物固定ベルト。
【請求項４】
前記、請求項１、２、３記載の荷崩れ防止用積載物固定ベルトで、コの字型固定部材に二個の長方形穴を有し、該穴にベルトを通す事でコの字型固定部材とベルトを固定、あるいはコの字型固定部材がベルト長の望ましい所で固定できる事を特徴とする荷崩れ防止用積載物固定ベルト。
【考案の詳細な説明】
【技術分野】
【０００１】本考案は荷物運搬時の積載物の荷崩れを防止する固定ベルトに関する。
【背景技術】
【０００２】従来、荷物運搬時の積載物の荷崩れを防止する手段としては、積載物の周囲をロープで止めたり、ストレッチフィルムを幾重にも巻いて積載物の荷崩れを防止してきた。ロープで止める方法やストレッチフィルムを幾重にも巻いて固定する方法では、その作業時間が長くかかる。また、ストレッチフィルムは一度の使い切り使用で再利用できない事とストレッチフィルムの廃棄費用がかかる欠点を持っていた。又、廃棄したストレッチフィルムを焼却処理した場合、多量の炭酸ガスを発生させるため、環境への影響も好ましい状態ではなかった。これらの欠点を改善する事と、積載物を固定するのに作業者一人で短時間に作業が完了できる手段の提供が望まれていた。
【考案の開示】
【考案が解決しようとする課題】
【０００３】本考案は荷物運搬時の積載物を固定する手段として、ロープやストレッチフィルムに代わる固定手段の提供である。つまり、荷崩れ防止用固定ベルトで積載物を積載台に固定することを作業者一人で短時間で確実、容易にできる手段の提供にある。
【課題を解決するための手段】
【０００４】上記の課題を解決すべく本考案者らは鋭意検討した結果、上記の課題は次のような手段によって解決できる事がわかった。
即ち、積載物固定ベルトのベルト端に固定したコの字型固定部材の開口部を積載台に挿入して固定部材の上部（天井部）に設置した締めボルトで積載台とコの字型固定部材を固定する。ついで、積載台に固定したコの字型固定部材に連なるベルトを積載物の上部を渡して、ベルトに接続したもう一つのコの字型固定部材の開口部を積載台の反対側に挿入し、上部の締めボルトを締めてコの字型固定部材を固定する。次に、ベルトを引張してベルト締め部材で積載物を積載台にしっかり固定する。この際、コの字型固定部材を積載台に固定する事で、積載物固定ベルトの作業開始から積載物の固定までを一人で容易で確実にでき、安全に運搬することが出来るので上記課題を解決できることがわかった。
【考案の効果】
【０００５】積載物固定ベルトのコの字型固定部材の開口部を積載台に挿入し、該コの字型固定部材の上部に設置したボルトで積載台に固定する。該コの字型固定部材に連なるベルトを積載物の上部を渡して、ベルトに接続したもう一つのコの字型固定部材の開口部を積載台の反対側に挿入し、コの字型固定部材の上部締めボルトを廻し込んで該コの字型固定部材と積載台を固定する。次いで、ベルトを引張、反転させベルトに接続したベルト締め部材を接続することで積載物と積載台は固定され一連の作業は完了する。本考案の荷崩れ防止固定ベルトはベルトに固定したコの字型固定部材を積載台に固定する態様にすることで、積載物の積載台への縦方向の固定を容易に開始でき、作業者一人で積載物の固定作業が可能で、安全で安心な運搬作業ができる。本考案の荷崩れ防止固定ベルトを用いる事によって、従来から行なってきたロープで止める方法、ストレッチフィルムを幾重にも巻く方法と比較して、短時間で安心して積載物の固定ができる。さらに、安全に運搬できることは勿論、運搬時間の短縮と、ストレッチフィルムの廃棄作業の改善と廃棄費用の削減及びストレッチフィルムの焼却処理による炭酸ガスの排出の削減等に結びつけることが可能となる。
【考案を実施するための最良の形態】
【０００６】作業者一人で積載台上の積載物を固定する場合において、図１、図２の荷崩れ防止積載物固定ベルトのコの字型固定部材１の上部１ａと下部１ｂの間に出来る背部１ｃの高さの空隙を図４の積載台６に挿入し、締めボルト１ｆを廻し込んでコの字型固定部材１と積載台６を固定する。この際、積載物固定ベルトのコの字型固定部材１が積載台に固定され、ベルト３は長方形穴１ｄ、１ｅを通過し反転後、ミシン縫い止め部１ｈで固定されているので積載物の固定開始作業が容易である。次いで、コの字型固定部材１に連なるベルト３を積載物５の上部を渡して、コの字型固定部材２の上部２ａと下部２ｂの間に出来る背部２ｃの高さの空隙を反対側の積載台６に挿入して、締めボルト２ｆを廻し込んで固定する。次いで、ベルト３を引張して積載物５と積載台６をしっかり締め、ベルト３上の締め部材４ｂを反転させて程よく締めて締め部材４ａに固定する。
該作業は積載物の重量が大きいものや大きさが不揃い、不定形など様々な荷姿に応じて行なうが、作業者一人が短時間で容易に行なうことが出来る。最終的な形態は図５の積載状態となる。
【実施例】
【０００７】以下、本考案を図面を用いて詳細に説明する。
図１は本考案の荷崩れ防止用固定ベルトの立面図である。
図が本考案の積載物の荷崩れ防止用固定ベルトであり、１、２はコの字型固定部材で、３はベルトである。４ａ、４ｂはベルト締め具である。【０００８】図２は本考案の荷崩れ防止用固定ベルトのコの字型固定部材１の周辺見取り図である。
コの字型固定部材１の上部（天井部）１ａ、下部（底部）１ｂ、高さ（背部）１ｃで、上部１ａの長方形穴１ｄ、下部１ｂの長方形穴１ｅで、締めボルト用ナット穴１ｇ、締めボルト１ｆ、３はベルト、ミシン縫い止め部１ｈである。【０００９】図３は本考案の荷崩れ防止用固定ベルトのコの字型固定部材２の周辺見取り図である。
コの字型固定部材２の上部（天井部）２ａ、下部（底部）２ｂ、高さ（背部）２ｃで、上部２ａの長方形穴２ｄ、下部２ｂの長方形穴２ｅで、締めボルト用ナット穴２ｇ、締めボルト２ｆ、ベルト３、ベルト３上に固定したベルト締め具４ａ、４ｂである。【００１０】図４は本考案の荷崩れ防止用固定ベルトのコの字型固定部材２の周辺で、ベルト３上に固定したベルト締め具４ａ、４ｂで固定する時の見取り図である。【００１１】図５は本考案の荷崩れ防止用固定ベルトを使用して積載台（パレット、手押し台車など）６上の積載物５を固定した時の見取り図である。
積載台６に荷崩れ防止用固定ベルトのコの字型固定部材１の上部１ａと下部１ｂの間に出来る背部１ｃの高さの空隙を挿入し、コの字型固定部材１の上部１ａに設けた締めボルト用ナット穴１ｇに填合された締めボルト１ｆを廻し込んで積載台６とコの字型固定部材１を固定する。次いで、コの字型固定部材１に連なるベルト３を積載物５の上部を渡し反対側に置かれる。このベルト３は長方形穴２ｄ、２ｅを通過させることで接続したコの字型固定部材２の上部２ａと下部２ｂの間に出来る背部２ｃの高さの空隙を積載台６の反対側に挿入し、コの字型固定部材２の上部２ａに設けた締めボルト用ナット穴２ｇに填合された締めボルト２ｆを廻し込んで積載台６とコの字型固定部材２を固定する。さらに、ベルト３のベルト締め具４ｂ付近を引っ張り、反転させてベルト締め具４ｂを４ａに固定することで積載物の固定ができる。又、この作業は作業者一人で短時間で容易に出来る事が大きな特徴である。【００１２】図１から図５の本考案の荷崩れ防止用積載物固定ベルトの材質と寸法について以下に説明する。荷崩れ防止用積載物固定ベルトのベルト部３の材質はポリプロピレン、ナイロン、ポリエステル、綿、アクリル繊維等で厚さ０．５〜４ｍｍ、幅３０〜１１０ｍｍの寸法が好ましく、荷崩れ防止用固定ベルトの長さはパレット、台車や積載物の大きさによって変わるが、１，０００ｍｍ〜４，０００ｍｍが好ましい。コの字型固定部材１と２の材質はＦＲＰ、アルミニュウム、ステンレス、ポリエステル、ポリプロピレン等で、大きさは上部と下部が５０ｍｍ〜１００ｍｍ×７０ｍｍ〜１２０ｍｍで、高さ３０ｍｍ〜７０ｍｍが好ましい。締めボルト１ｆ、２ｆの材質は鉄、ステンレス、ナイロン、ポリエステル等が好ましく、コの字型固定部材１と２が積載台にしっかり固定され、コの字型固定部材上部に出ている締めボルトの頭が作業に支障のない大きさが好ましい。４ａ、４ｂのベルト締め具はマジックテープや差し込み式止め具などが好ましい態様である。
【産業上の利用可能性】
【００１３】パレットや台車に荷物を積載し運搬する運搬作業者及び輸送業界で、パレットや台車への荷物、例えば円筒形状や大きさの異なる箱や不定型な物等を数段に重ねて積載し運搬する際、該積載物を作業者一人で固定する場合において、従来利用していたロープやストレッチフィルムに代わって本考案の積載物の荷崩れ防止ベルトが利用できる。
【図面の簡単な説明】
【００１４】
【図１】荷崩れ防止用積載物固定ベルトの立面図である。
【図２】コの字型固定部材１周辺の見取り図である。
【図３】コの字型固定部材２周辺の見取り図である。
【図４】コの字型固定部材２周辺でベルト締め具で固定する見取り図である。
【図５】パレット上の積載物を荷崩れ防止用積載物固定ベルトで固定したときの見取り図
【符号の説明】
【００１５】１、２                  ：コの字型固定部材
１ａ、２ａ              ：上部（天井部）
１ｂ、２ｂ              ：下部（底部）
１ｃ、２ｃ              ：高さ（背部）
１ｄ、２ｄ              ：上部長方形穴
１ｅ、２ｅ              ：下部長方形穴
１ｆ、２ｆ              ：締めボルト
１ｇ、２ｇ              ：締めボルト用ナット穴
１ｈ                    ：ミシン縫い止め部
３                      ：ベルト
４ａ、４ｂ              ：ベルト締め具
５                      ：積載物
６                      ：パレット
【図１】
0003139684.tif 000003
【図２】
0003139684.tif 000004
【図３】
0003139684.tif 000005
【図４】
0003139684.tif 000006
【図５】
0003139684.tif 000007